(57)【特許請求の範囲】
【請求項１】
平面視で左右方向に長形で、下部の前後両面部の左右方向の中央部にタンク内方に向かって凹んだ凹み部が形成され、前記両凹み部のうちの前側の凹み部が、前面部の左右方向中央部における下部にのみ形成されて下方に開口し、この前側の凹み部の奥面部の上部が下部よりも一段前方に位置し、この奥面部の上部に蛇口が設けられたことを特徴とするタンク。
【請求項２】
底面部の左右両側に下方に突出した脚部が形成され、前記各凹み部の奥面部の下端が、前記底面部の前記両脚部の間の部分に接続されたことを特徴とする請求項１に記載のタンク。
【発明の詳細な説明】
【技術分野】
【０００１】
本発明は液体を貯留するタンクに関する。
【背景技術】
【０００２】
特許文献１には、雨水を利用するシステムにおいて、竪樋から導入された雨水を貯留するためのタンクが開示されている。このタンクは、左右方向に長形となったタンク本体と、タンク本体を支持する筒状の支持体を備えている。支持体の前面には凹みが形成され、タンク本体の底面には凹みに臨む取水口が設けられている。凹みにはじょうろやバケツ等の容器を取水口の下方に位置するよう配置し、タンク本体内の雨水を取水口から容器に供給できるようになっている。
【先行技術文献】
【特許文献】
【０００３】
【特許文献１】特開２００６−２８８７６号公報
【発明の概要】
【発明が解決しようとする課題】
【０００４】
ところで特許文献１のタンク本体の下部後面部は平板形状であって後方に撓みやすい形状をしている。このため、タンク本体に雨水が貯留されると、タンク本体の下部後面部がタンク本体内の水圧により後方に大きく膨らむ恐れがある。また、これに追従してタンク本体の下部両側面部の中央部がタンク内方に凹む恐れもある。このため、タンクは全体としていびつな形状に変形して外観が悪くなったり、タンクが塑性変形したりする可能性がある。
【０００５】
本発明は前記事情に鑑みてなされたものであって、貯留した液体の圧力によって変形することを防止できるタンクを提供することを課題とする。
【課題を解決するための手段】
【０００６】
前記課題を解決するために本発明のタンクは、平面視で左右方向に長形で、下部の前後両面部の左右方向の中央部にタンク内方に向かって凹んだ凹み部が形成され、前記両凹み部のうちの前側の凹み部が、前面部の左右方向中央部における下部にのみ形成されて下方に開口し、この前側の凹み部の奥面部の上部が下部よりも一段前方に位置し、この奥面部の上部に蛇口が設けられたことを特徴とする。
また、底面部の左右両側に下方に突出した脚部が形成され、前記各凹み部の奥面部の下端が、前記底面部の前記両脚部の間の部分に接続されることが好ましい。
【発明の効果】
【０００７】
本発明にあっては、貯留した液体の圧力によってタンクが変形することを防止できる。
【図面の簡単な説明】
【０００８】
【図１】本実施形態のタンクを示し、図３（ａ）におけるＡ−Ａ断面図である。
【図２】同上のタンクの斜視図である。
【図３】同上のタンクを示し、（ａ）は正面図、（ｂ）は背面図、（ｃ）は底面図である。
【図４】同上のタンク本体を示し、前斜め上方から見た斜視図である。
【図５】同上のタンク本体の背面図である。
【図６】同上のタンクを利用した貯水システムの背面図である。
【発明を実施するための形態】
【０００９】
以下、本発明を添付図面に基づいて説明する。本実施形態のタンク１は、図６のように設置面となる地面１０に設置されて竪樋１１から導入された雨水を貯留する大型のタンクであり、タンク１内に貯留された雨水は散水等に利用される。
【００１０】
タンク１は、図２及び図３に示されるように、平面視で左右方向に長形で縦長のタンクである。タンク１は、タンク状部分をなすタンク本体２と、タンク本体２の上端部に着脱自在に被せ付けられてタンク本体２の上端部に形成された開口部４（図４参照）を閉塞する蓋体３を備えている。タンク本体２と蓋体３は共に合成樹脂製であり、また、共に左右対称に形成されている。
【００１１】
タンク本体２は高密度ポリエチレン樹脂からなり、ブロー成形で形成された一体成形品である。タンク本体２の底面部１５の左右両側部分は下方に突出され、各突出部分は地面１０に設置される脚部１６を構成している。なお、脚部１６にも雨水を溜められるようになっている。
【００１２】
タンク本体２の周壁部５は平面視略楕円形の筒状に形成されている。周壁部５には周方向の全長に亘ってタンク本体２の内方に凹んだ溝部３０が上下方向に複数条形成されている。
【００１３】
図３（ｂ）に示されるように、タンク本体２の上端部の左右両側端部には、周壁部５の後面部６を前方に凹ませることで上凹段部２０，２１が形成されている。各上凹段部２０，２１の外面側には、上方、後方、及び外側方の三方に開口する空所が形成されている。
【００１４】
タンク本体２の後面部６において一方の上凹段部２０の後方を向く面を構成する部分には、給水口としての接続口８が設けられている。接続口８には、図６のように、竪樋１１から分岐した給水路１２の下流端が接続され、これにより竪樋１１を流れる雨水を給水路１２を介して接続口８からタンク本体２に流入させることができる。なお、図４のようにタンク本体２の上面部の左右両側には第二の給水口として前記開口部４が形成されており、タンク本体２には接続口８からだけでなく各開口部４からも給水できるようになっている。
【００１５】
図３（ｂ）に示されるように、タンク本体２の後面部６において他方の上凹段部２１の後方を向く面を構成する部分には、オーバーフロー口９が形成されている。図６のようにオーバーフロー口９には排水路１３の上流端が接続され、排水路１３の下流端は竪樋１１の給水路１２が分岐した箇所よりも下流側に接続される。これにより、タンク本体２内の雨水が所定量を超えた場合には、その超過した雨水をオーバーフロー口９から排水路１３を介して竪樋１１に排出することができる。
【００１６】
図１に示されるように、タンク本体２の前面部１４の下部における左右方向中央部には、後方に凹んだ凹み部１７が形成されている。また、後面部６の下部において前記凹み部１７に対応する左右方向中央部には、前方に凹んだ凹み部１８が形成され、両凹み部１７，１８は対象位置に形成され、後述の奥面部の上部を除く部分が略前後対称に形成されている。
【００１７】
各凹み部１７，１８の下端は、タンク本体２の前記左右に離間した脚部１６間の底面部１５に接続されており、各凹み部１７，１８の外面側に形成された凹所２４，２５は、両脚部１６の間に形成された空所２６に通じている。
【００１８】
図３（ｃ）のように、後側の凹み部１８の奥面部は前方に向かって突となる弧状に形成されている。また、前側の凹み部１７の奥面部の下部２２は後方に向かって突となる弧状に形成されるのに対して、前側の凹み部１７の上部２３は下部２２よりも一段前方に位置して、前方を向く略平板状に形成されている。なお、図１のように上部２３の下縁と下部２２の上縁は略水平な接続片部３１で接続されている。
【００１９】
前記凹み部１７の奥面部の上部２３には、吐水口としての吐水量調節可能な蛇口１９が設けられており、蛇口１９を操作することで、タンク本体２内に貯留した雨水を排出できるようになっている。
【００２０】
蛇口１９は凹み部１７の外面側に形成された凹所２４の上部に収まっている。蛇口１９の下方に位置して脚部１６間の空所２６に通じる凹所２４には、じょうろやバケツ等の容器を配置することができ、この容器に蛇口１９から下方に吐出した雨水を入れられるようになっている。
【００２１】
図３（ｂ）及び図３（ｃ）に示されるように、各脚部１６の後端部の左右方向における外側端部には、脚部１６の後面部を前方に凹ませることで下凹段部２７が形成されている。各下凹段部２７の外面側には後方、外側方、及び下方に開口した空所が形成されている。
【００２２】
各下凹段部２７の外側方を向く面部には、第二の吐水口として排水口２８が形成されている。各排水口２８には排水口２８を閉塞するためのキャップ２９が着脱自在に被せ付けられている。タンク本体２内の雨水は、キャップ２９を取り外すことで開放された排水口２８からも排出できるようになっている。なお、各排水口２８には、シャワーホース等の散水可能な散水装置を直接又は接続体を介して着脱自在に接続できるようにしても構わない。このようにすると、散水装置による散水をタンク本体２内に貯留された雨水の水頭圧を利用して行うことができて省エネルギー化に繋がる。
【００２３】
以上説明したように、本実施形態では、平面視で左右に長形となったタンク１下部の前面部１４及び後面部６に夫々に、タンク１内方に向かって凹んだ凹み部１７，１８が形成されている。この構成により、タンク１内に雨水を溜めたときに大きな水圧が加わるタンク１下部の前面部１４及び後面部６を補強して、タンク１下部の前面部１４及び後面部６がタンク１外方に膨らむことを防止できる。また、タンク１下部の両側面部の中央部がタンク１内方に凹むことも防止できる。従って、タンク１がいびつな形状となって外観が悪くなったり、タンク１が塑性変形したりすることを防止できる。
【００２４】
なお、本実施形態では、凹み部１７，１８を前面部１４及び後面部６の夫々の下部にのみ形成しているが、凹み部１７，１８を前面部１４及び後面部６の下部から上部に亘って形成しても構わない。また、本実施形態では、タンク１を平面視略楕円状に形成したが、タンク１の平面形状はこれに限定されるものではなく、矩形状等であってもよい。また、タンク１に給水する給水系や、タンク１のオーバーフロー水を排出する排水系は、軒樋等、竪樋１１以外の系で構成してもよい。また、本実施形態のタンク１は雨水を溜めるものであるが、本発明をその他の液体を溜めるタンクに適用しても構わない。
【符号の説明】
【００２５】
１  タンク
６  後面部
１４  前面部
１７  凹み部（前側）
１８  凹み部（後側）
【図１】
0005699277.tif 000002
【図２】
0005699277.tif 000003
【図３】
0005699277.tif 000004
【図４】
0005699277.tif 000005
【図５】
0005699277.tif 000006
【図６】
0005699277.tif 000007